(57)【要約】      （修正有）【課題】工期を短縮できることに加え、施工コストを削減することができる嵌合式ブロック塀を提供する。【解決手段】嵌合式ブロック塀１０は、複数のコンクリート土台部１と、塀本体を構成する複数の目地を有しないコンクリートブロック２とを備える。コンクリート土台部１は、上面１ａと、上面１ａより大きい面積を有する下面１ｂと、接続端面１ｄと、上面１ａの長手方向に沿って上面１ａに形成された凹部１ｇと、接続端面１ｄの上下方向に切り欠かれた目地と、を備える。隣接するコンクリート土台部１の目地には、これらのコンクリート土台部１を互いに接続する目地材が充填される。複数のコンクリートブロック２の下端部は、凹部１ｇに嵌合され、複数のコンクリートブロック２を複数のコンクリート土台部１の上に配列してブロック塀を構成する。【選択図】図１
2017089197.tif 000002
【特許請求の範囲】
【請求項１】
上面（１ａ）と、上面（１ａ）より大きい面積を有する下面（１ｂ）と、上面（１ａ）の長手方向に沿って上面（１ａ）に形成された凹部（１ｇ）と、を有するコンクリート土台部（１）と、
塀本体を構成する目地を有しないコンクリートブロック（２）と、を備え、
前記コンクリートブロック（２）の下端部が前記凹部（１ｇ）に嵌合されてなることを特徴とする嵌合式ブロック塀。
【請求項２】
上面（１ａ）と、上面（１ａ）より大きい面積を有する下面（１ｂ）と、接続端面（１ｃ）と、上面（１ａ）の長手方向に沿って上面（１ａ）に形成された凹部（１ｇ）と、接続端面（１ｃ）の上下方向に形成された目地（１ｈ）と、を備える複数のコンクリート土台部（１）と、
目地（１ｈ）に充填され、隣接するコンクリート土台部（１）を互いに接続する目地材（３）と、
塀本体を構成する目地を有しない、複数のコンクリートブロック（２）と、を備え、
複数のコンクリートブロック（２）の下端部が、対応する前記凹部（１ｇ）に嵌合され、複数のコンクリートブロック（２）を複数のコンクリート土台部（１）の上に配列してブロック塀を構成したことを特徴とする嵌合式ブロック塀。
【請求項３】
前記目地（１ｈ）は、接続端面（１ｃ）における凹部（１ｇ）の底と下面（１ｂ）の間を接続するように形成されたこと特徴とする請求項２に記載の嵌合式ブロック塀。
【発明の詳細な説明】
【技術分野】
【０００１】
本発明は、コンクリート土台部にコンクリートブロックを嵌合してなる嵌合式ブロック塀に関する。
【背景技術】
【０００２】
従来のブロック塀は、地面にコンクリート土台部（布基礎）を布設し、このコンクリート土台部の上に、複数のコンクリートブロックを積み上げて構築されていた。この際、上下左右に隣接するコンクリートブロックの接続部の目地にモルタル等の目地材を充填するという作業も必要とされていた。
【先行技術文献】
【特許文献】
【０００３】
【特許文献１】特開２００５−１３９８７２号公報
【発明の概要】
【発明が解決しようとする課題】
【０００４】
しかしながら、従来のブロック塀においては、コンクリート土台部の布設、コンクリートブロックの積み上げ、目地接続施工等という一連の作業が施工現場で行われることから、工期が長くなり、施工コストも高いという問題があった。
【課題を解決するための手段】
【０００５】
本発明の嵌合式ブロック塀は、上述の従来技術の課題に鑑みてなされたものであり、上面（１ａ）と、上面（１ａ）より大きい面積を有する下面（１ｂ）と、上面（１ａ）の長手方向に沿って上面（１ａ）に形成された凹部（１ｇ）と、を有するコンクリート土台部（１）と、塀本体を構成する目地を有しないコンクリートブロック（２）と、を備え、前記コンクリートブロック（２）の下端部が凹部（１ｇ）に嵌合されてなることを特徴とする。
【０００６】
本発明によれば、コンクリート土台部（１）及びコンクリートブロック（２）は工場で生産することができ、施工現場での作業は、基本的にはコンクリート土台部（１）の凹部（１ｇ）にコンクリートブロック（２）を嵌合させるだけである。
【０００７】
したがって、コンクリート土台部の布設、コンクリートブロックの積み上げ、目地接続施工等の作業を省くことができることから、工期を短縮できることに加え、作業コストを削減できる。しかも、コンクリート土台部（１）の下面（１ｂ）は大きい面積を有しているので、基礎を安定化し、塀本体の転倒や倒壊を防止することができる。
【発明の効果】
【０００８】
本発明の嵌合式ブロック塀によれば、工期を大幅に短縮できることに加え、施工コストを削減することができる。
【図面の簡単な説明】
【０００９】
【図１】本発明の実施形態における嵌合式ブロック塀の斜視図である。
【図２】本発明の実施形態における嵌合式ブロック塀のコンクリート土台部を示す図である。
【図３】本発明の実施形態における嵌合式ブロック塀のコンクリート土台部の目地接続部を示す平面図である。
【発明を実施するための形態】
【００１０】
本発明の実施形態における嵌合式ブロック塀１０を図１乃至図３に基づいて説明する。図１は、嵌合式ブロック塀１０の斜視図である。図２は、嵌合式ブロック塀１０のコンクリート土台部１を示す図であり、図２（ａ）はその平面図、図２（ｂ）はその正面図、図２（ｃ）はその端面図、図２（ｄ）はその斜視図である。図３は、コンクリート土台部１の目地接続部を示す平面図である。
【００１１】
嵌合式ブロック塀１０は、複数のコンクリート土台部１と、塀本体を構成する複数のコンクリートブロック２を備えて構成される。各コンクリートブロック２は、目地を有しない１枚のコンクリートパネルからなる。
【００１２】
コンクリート土台部１は、コンクリートからなり、上面１ａと、上面１ａより大きい面積を有する下面１ｂと、隣接するコンクリート土台部１を接続する接続端面１ｃと、コンクリート土台部１の長手方向に延びて、上面１ａと下面１ｂを接続する側面１ｄと、を備える。
【００１３】
側面１ｄは、上面１ａに接続された傾斜面１ｅと、コンクリート土台部１を安定させるために傾斜面１ｅの下端から水平に突き出した突出部１ｆを有している。これに対して、接続端面１ｃの主面は、上面１ａ及び下面１ｂに対して垂直になっている。
【００１４】
上面１ａには、その長手方向に沿って上面１ａに対して垂直に凹部１ｇが形成される。図２（ａ）の平面図で見ると、凹部１ｇは上面１ａの中央を長手方向に沿って延びている。接続端面１ｃの上下方向には目地１ｈが、断面三角形になるように接続端面１ｃを切り欠くことにより形成される。
【００１５】
この場合、目地１ｈは、接続端面１ｃにおける凹部１ｇの底と下面１ｂの間を接続するように形成することで、対称性が良く、コンパクトで強固な目地接続を得ることができる。なお、嵌合式ブロック塀１０の両端に位置するコンクリート土台部１については、隣接するコンクリート土台部１が無い側には、目地１ｈを形成する必要はない。
【００１６】
図３に示すように、隣接するコンクリート土台部１の目地１ｈには、目地材３が充填される。この場合、隣接する２つの断面三角形の目地１ｈが接続される結果、断面四角形になっており、両者を強固に接続することができる。目地材３は、隣接するコンクリート土台部１を互いに接続するもので、コンクリートやモルタル等からなる。コンクリート土台部１間の接続を補強するために、目地材３の中に上下方向に鉄筋を埋設してもよい。
【００１７】
複数のコンクリートブロック２の下端部は、対応するコンクリート土台部１の凹部１ｇに嵌合されことで固定される。この嵌合式ブロック塀１０においては、嵌合式ブロック塀１０の両端に位置するコンクリート土台部１については、それぞれ１個のコンクリートブロック２が嵌合され、両端の嵌合式ブロック塀１０の間に隣接して位置する３個のコンクリート土台部１については、それぞれ２個のコンクリートブロック２が嵌合されているが、コンクリート土台部１の個数や、これに嵌合されるコンクリートブロック２の個数は適宜変更することができる。
【００１８】
上記嵌合部におけるコンクリートブロック２と、コンクリート土台部１とは、補強のために接着剤で固着されてもよい。これらのコンクリートブロック２は、複数のコンクリート土台部１の上に配列され、ブロック塀の本体を構成している。
【００１９】
上述した嵌合式ブロック塀１０によれば、コンクリート土台部１及びコンクリートブロック２は工場で生産することができる。そして、嵌合式ブロック塀１０の施工作業は、コンクリート土台部１及びコンクリートブロック２を施工現場まで運送し、コンクリート土台部１を地面や地面の中に埋設されたコンクリート基礎上に水平に設置し、コンクリート土台部１の凹部１ｇにコンクリートブロック２を嵌合させる。
【００２０】
したがって、コンクリート土台部の布設、コンクリートブロックの積み上げ、目地接続施工等の作業を省くことができることから、工期を大幅に短縮できることに加え、作業コストを削減できる。しかも、コンクリート土台部１の下面１ｂは大きい面積を有しているので、ブロック塀の基礎を安定化し、塀本体の転倒や倒壊を防止することができる。
【００２１】
なお、この嵌合式ブロック塀１０においては、上端面が平らなコンクリートブロック２と、上端面がアーチ状の曲面をなしているコンクリートブロック２を交互に配列することで意匠性を高めているが、コンクリートブロック２の形状は適宜変更することができる。
【符号の説明】
【００２２】
１  コンクリート土台部
１ａ  上面
１ｂ  下面
１ｃ  接続端面
１ｄ  側面
１ｅ  傾斜面
１ｆ  突出部
１ｇ  凹部
１ｈ  目地
２  コンクリートブロック
３  目地材
１０  嵌合式ブロック塀
【図１】
2017089197.tif 000003
【図２】
2017089197.tif 000004
【図３】
2017089197.tif 000005